(57)【特許請求の範囲】
【請求項１】
机上又は床面に画像を投影表示するプロジェクタであって、
所定項目を選択するためのメニュー画像を投影する投影手段と、
前記机上又は前記床面に載置されている筐体の上部に配置され、前記投影手段を操作する操作手段と、
前記操作手段を操作する操作者の前記操作手段に対する相対的な位置を検知する操作者位置検知手段と、
前記操作者位置検知手段によって検知された位置情報に基づいて、前記操作手段に対する前記操作者の位置を特定する基準方向を設定し、前記基準方向の操作設定状態及び前記メニュー画像の表示態様を制御する制御手段と、
を備えていることを特徴とするプロジェクタ。
【請求項２】
請求項１に記載のプロジェクタにおいて、
前記操作手段は、複数のボタンで構成され、
前記制御手段は、前記複数のボタンの配置と前記メニュー画像の表示される向きとが前記基準方向から見て一定となるように前記複数の各ボタンに割り当てられた機能を変更するとともに前記メニュー画像を回転させることを特徴とするプロジェクタ。
【請求項３】
請求項１に記載のプロジェクタにおいて、
前記操作手段は、タッチパネルであり、
前記制御手段は、前記タッチパネル上に表示された複数のボタンの配置が前記基準方向から見て一定となるように前記複数のボタンに割り当てられた機能を変更することを特徴とするプロジェクタ。
【請求項４】
請求項２又は請求項３に記載のプロジェクタにおいて、
前記制御手段により設定された前記基準方向を報知する報知手段を備えていることを特徴とするプロジェクタ。
【請求項５】
請求項４に記載のプロジェクタにおいて、
前記報知手段は、前記複数のボタンに割り当てられた機能を報知することを特徴とするプロジェクタ。
【請求項６】
請求項４又は請求項５に記載のプロジェクタにおいて、
前記報知手段は、前記操作手段に設けられたＬＥＤであることを特徴とするプロジェクタ。
【請求項７】
請求項１から請求項６のいずれか一項に記載のプロジェクタにおいて、
前記操作者位置検知手段は、前記操作者の操作に基づいて前記位置情報を検知することを特徴とするプロジェクタ。
【請求項８】
請求項１から請求項６のいずれか一項に記載のプロジェクタにおいて、
前記操作者位置検知手段は、前記筐体の側面に配置された赤外センサであり、
前記制御手段は、前記赤外センサが前記筐体の周囲に人を検知したとき、その人の位置情報に基づいて前記基準方向を設定することを特徴とするプロジェクタ。
【請求項９】
請求項１から請求項６のいずれか一項に記載のプロジェクタにおいて、
前記操作者位置検知手段は、前記筐体の周囲を撮像する撮像手段であり、
前記制御手段は、前記撮像手段で取得した画像中に人がいたとき、その人の位置情報に基づいて前記基準方向を設定し、その人の位置の変化に応じて前記基準方向を変えることを特徴とするプロジェクタ。
【発明の詳細な説明】
【技術分野】
【０００１】
この発明はプロジェクタに関する。
【背景技術】
【０００２】
従来、プロジェクタから投射される映像が投影される天板に、プロジェクタを操作するための操作部と、操作部を操作者側に位置するように天板を移動させる天板駆動部とを供えた映像投射テーブルが知られている（下記特許公報参照）。この映像投射テーブルでは操作者が天板を回転させると、その回転角を検知して天板に投影される表示の向きも切り替わる。
【先行技術文献】
【特許文献】
【０００３】
【特許文献１】特開２００６−１１９４０７号公報
【発明の概要】
【発明が解決しようとする課題】
【０００４】
しかし、例えば天板上に複数のボタンを表示させてタッチパネルとして用いた場合、上記特許公報には映像投射テーブルをタッチパネルとして使用することは記載されておらず、操作者のタッチパネルに対する相対的な位置が変わったとき、複数のボタンの向きは変わらないので、タッチパネルのボタンの向きと異なる方向からボタンを押して入力操作を行なわなければならず、不便であった。
【０００５】
この発明はこのような事情に鑑みてなされたもので、その課題はプロジェクタの操作性を向上させることである。
【課題を解決するための手段】
【０００６】
上記課題を解決するため請求項１記載の発明は、机上又は床面に画像を投影表示するプロジェクタであって、所定項目を選択するためのメニュー画像を投影する投影手段と、前記机上又は前記床面に載置されている筐体の上部に配置され、前記投影手段を操作する操作手段と、前記操作手段を操作する操作者の前記操作手段に対する相対的な位置を検知する操作者位置検知手段と、前記操作者位置検知手段によって検知された位置情報に基づいて、前記操作手段に対する前記操作者の位置を特定する基準方向を設定し、前記基準方向の操作設定状態及び前記メニュー画像の表示態様を制御する制御手段と、を備えていることを特徴とする。
【０００７】
請求項２に記載の発明は、請求項１に記載のプロジェクタにおいて、前記操作手段は、複数のボタンで構成され、前記制御手段は、前記複数のボタンの配置と前記メニュー画像の表示される向きとが前記基準方向から見て一定となるように前記複数の各ボタンに割り当てられた機能を変更するとともに前記メニュー画像を回転させることを特徴とする。
【０００８】
請求項３に記載の発明は、請求項１に記載のプロジェクタにおいて、前記操作手段は、タッチパネルであり、前記制御手段は、前記タッチパネル上に表示された複数のボタンの配置が前記基準方向から見て一定となるように前記複数のボタンに割り当てられた機能を変更することを特徴とする。
【０００９】
請求項４に記載の発明は、請求項２又は請求項３に記載のプロジェクタにおいて、前記制御手段により設定された前記基準方向を報知する報知手段を備えていることを特徴とする。
【００１０】
請求項５に記載の発明は、請求項４に記載のプロジェクタにおいて、前記報知手段は、前記複数のボタンに割り当てられた機能を報知することを特徴とする。
【００１１】
請求項６に記載の発明は、請求項４又は請求項５に記載のプロジェクタにおいて、前記報知手段は、前記操作手段に設けられたＬＥＤであることを特徴とする。
【００１２】
請求項７に記載の発明は、請求項１から請求項６のいずれか一項に記載のプロジェクタにおいて、前記操作者位置検知手段は、前記操作者の操作に基づいて前記位置情報を検知することを特徴とする。
【００１３】
請求項８に記載の発明は、請求項１から請求項６のいずれか一項に記載のプロジェクタにおいて、前記操作者位置検知手段は、前記筐体の側面に配置された赤外センサであり、前記制御手段は、前記赤外センサが前記筐体の周囲に人を検知したとき、その人の位置情報に基づいて前記基準方向を設定することを特徴とする。
【００１４】
請求項９に記載の発明は、請求項１から請求項６のいずれか一項に記載のプロジェクタにおいて、前記操作者位置検知手段は、前記筐体の周囲を撮像する撮像手段であり、前記制御手段は、前記撮像手段で取得した画像中に人がいたとき、その人の位置情報に基づいて前記基準方向を設定し、その人の位置の変化に応じて前記基準方向を変えることを特徴とする。
【発明の効果】
【００１６】
この発明によれば、プロジェクタ１の操作性を向上させることができる。
【図面の簡単な説明】
【００１７】
【図１】図１はこの発明の第１実施形態に係るプロジェクタの斜視図である。
【図２】図２はこの発明の第１実施形態に係るプロジェクタのブロック図である。
【図３】図３（ａ），（ｂ）はプロジェクタの動作を説明するための概念図である。
【図４】図４（ａ），（ｂ）はこの発明の第２実施形態に係るプロジェクタの動作を説明するための概念図である。
【図５】図５（ａ），（ｂ）はこの発明の第２実施形態の変形例に係るプロジェクタの動作を説明するための概念図である。
【図６】図６は基準方向の確認方法を説明する概念図である。
【図７】図７はこの発明の第３実施形態に係るプロジェクタの側面を示す概念図である。
【図８】図８（ａ），（ｂ）は机上に投射された画像の一例を示す概念図である。
【発明を実施するための形態】
【００１８】
以下、この発明の実施の形態を図面に基づいて説明する。
【００１９】
図１はこの発明の第１実施形態に係るプロジェクタ１の斜視図である。
【００２０】
プロジェクタ１のプロジェクタ筐体（筐体）１０の上部には、画像を拡大投影する投影光学系２０（図２参照）を操作する、特定の機能を割り当てられた特定ボタン（操作手段）３１，３２，３３，３４，３５と、電源オン・オフボタン４１と、メニュー表示ボタン４２と、フォーカスボタン４３と、後述する基準方向（操作者Ｍ（図３参照）の位置を特定する基準となる方向）を例えば操作者から見て反時計方向へ９０°回転させるための基準位置決定ボタン５０とが設けられている。この実施形態では基準位置決定ボタン５０が請求項１の操作者位置検知手段である。基準位置決定ボタン５０はプロジェクタ筐体１０の上部の４隅にそれぞれ設けられ、基準位置決定ボタン５０が押される度に基準方向が９０°づつ変わる。基準方向は基準位置決定ボタン５０を押さない限り変わらない。なお、基準方向は電源（図示せず）をオンにしたとき、例えばプロジェクタ筐体１０を挟んで投射面と反対側（背面側）の位置になるように初期設定されている。
【００２１】
特定ボタン３１，３２，３３，３４，３５は例えばメニューを選択するために用いられる。なお、図１では便宜上、特定ボタン３１，３２，３３，３４，３５に上、下、左、右及び決定という機能を表わす文字を付したが、実際上は文字が付されない。
【００２２】
プロジェクタ筐体１０の前面には、投影光学系２０を透過した光をスクリーン等の投射面（図示せず）に投射するための投射口６０が設けられている。
【００２３】
図２はこの発明の第１実施形態に係るプロジェクタ１のブロック図である。
【００２４】
プロジェクタ１は、特定ボタン３１，３２，３３，３４，３５（操作手段）とＬＥＤ３６（報知手段）と基準位置決定ボタン５０と画像処理部７０と光源部８１と集光光学系８２と光変調素子８３と投影光学系２０と制御部（制御手段）９０とを有する。
【００２５】
制御部９０は制御プログラムにしたがってプロジェクタ１の動作を制御する。
【００２６】
画像処理部７０は制御部９０からの指示に基づいて光源部８１の点灯を指示する。画像処理部７０には例えば外部からアナログ又はデジタルの画像信号を入力するためのインタフェース（図示せず）が接続される。また、画像処理部７０はインタフェースを介して入力された画像信号を、必要に応じてシャープネス補正、ガンマ補正、コントラスト補正、ホワイトバランス補正、台形補正等の画像処理を行い、光変調素子８３の画素の座標に対応する点について階調表現したデータを生成する。
【００２７】
光源部８１は例えば水銀ランプやＬＥＤ光源であり、画像処理部７０の指示に応じて点灯する。
【００２８】
集光光学系８２は光源部８１が発光した拡散光を均一な照明光に集光し、光変調素子８３に出力する。
【００２９】
光変調素子８３は例えばＬＣＤであり、２次元に配列された透過性を有する多数の画素から構成されている。光変調素子８３は、画像処理部７０からのデータに基づいて、前記各画素を階調表現して画像信号に応じた画像を形成する。なお、光変調素子８３はＤＭＤ（Ｄｉｇｉｔａｌ  Ｍｉｃｒｏｍｉｒｒｏｒ  Ｄｅｖｉｃｅ）等の光変調素子であってもよい。
【００３０】
投影光学系２０は多数のレンズ（図示せず）から構成されている。投影光学系２０は光変調素子８３を透過した照明光をスクリーン等の投射面に画像として結像させる。  
また、ＣＰＵ等からなる制御部９０は、基準位置決定ボタン５０によって検知された位置情報に基づいて特定ボタン３１，３２，３３．３４，３５に対して基準方向を設定し、この基準方向に応じて特定ボタン３１，３２，３３，３４，３５に対して割り当てられた機能の変更を制御する。したがって、特定ボタン３１，３２，３３，３４，３５の配置が基準方向から見て一定となるようにできる。
【００３１】
図３（ａ），（ｂ）はプロジェクタ１の動作を説明するための概念図である。
【００３２】
図３（ａ）は例えば操作者Ｍが電源をオンした状態であり、操作者Ｍはプロジェクタ筐体１０の背面側に設定された基準方向から特定ボタン３１，３２，３３，３４，３５を見ている。
【００３３】
操作者Ｍがプロジェクタ１に対して図３（ａ）に示す位置から図３（ｂ）に示す位置へ９０°だけ反時計方向（図３に向かって反時計方向）へ移動したとする。操作者Ｍが基準位置決定ボタン５０を押すと、基準方向が図３（ｂ）に示すように９０°だけ反時計方向へ回転する。このとき、特定ボタン３１，３２，３３，３４，３５の配置も図３（ｂ）に示すように変化する。操作者Ｍから特定ボタン３１，３２，３３，３４，３５を見たとき、「上」、「下」、「左」、「右」及び「決定」の各ボタン３１〜３５の配置は操作者Ｍが移動する前と変わらない。なお、操作者Ｍから電源オン・オフボタン４１、メニュー表示ボタン４２、フォーカスボタン４３及び基準位置決定ボタン５０を見たとき、基準方向が変わる前と後とでは電源オン・オフボタン４１、メニュー表示ボタン４２、フォーカスボタン４３及び基準位置決定ボタン５０の配置は変化する。
【００３４】
この実施形態によれば、特定ボタン３１，３２，３３，３４，３５の配置は基準方向から見たとき常に同じ配置となるので、プロジェクタ１の操作性を向上させることができる。
【００３５】
図４（ａ），（ｂ）はこの発明の第２実施形態に係るプロジェクタ２の動作を説明するための概念図であり、第１実施形態と共通する部分には同一符号を付してその発明を省略する。図中、ａ〜ｉは特定ボタン３１ａ，３１ｂ，３１ｃ，３１ｄ，３１ｅ，３１ｆ，３１ｇ，３１ｈ，３１ｉに割り当てられた機能を示す。
【００３６】
この実施形態では特定ボタン３１ａ，３１ｂ，３１ｃ，３１ｄ，３１ｅ，３１ｆ，３１ｇ，３１ｈ，３１ｉがマトリクス状に配置さている。基準方向から特定ボタン３１ａ，３１ｂ，３１ｃ，３１ｄ，３１ｅ，３１ｆ，３１ｇ，３１ｈ，３１ｉを見たとき、下段の特定ボタン３１ａ，３１ｄ，３１ｇにはそれぞれ左から「ａ」，「ｄ」，「ｇ」の機能が、中段の特定ボタン３１ｂ，３１ｅ，３１ｈにはそれぞれ左から「ｂ」，「ｅ」，「ｈ」の機能が、上段の特定ボタン３１ｃ，３１ｆ，３１ｉにはそれぞれ左から「ｃ」，「ｆ」，「ｉ」の機能が割り当てられている。そして、特定ボタン３１ａ，３１ｄ，３１ｇの下には緑色ＬＥＤ（図示せず）が、特定ボタン３１ｂ，３１ｅ，３１ｈの下には青色ＬＥＤ（図示せず）が、特定ボタン３１ｃ，３１ｆ，３１ｉの下には赤色ＬＥＤ（図示せず）が、それぞれ報知手段（図２のＬＥＤ３６（基準位置報知手段（報知手段））に相当）として設けられている。下段の特定ボタン３１ａ，３１ｄ，３１ｇに対応する緑色ＬＥＤ、中段の特定ボタン３１ｂ，３１ｅ，３１ｈに対応する青色ＬＥＤ及び上段の特定ボタン３１ｃ，３１ｆ，３１ｉに対応する赤色ＬＥＤをそれぞれ点灯させることによって、特定ボタン３１ａ，３１ｂ，３１ｃ，３１ｄ，３１ｅ，３１ｆ，３１ｇ，３１ｈ，３１ｉに割り当てられた機能ａｄｇ、ｂｅｈ、ｃｆｉを報知することができる。緑色ＬＥＤ、青色ＬＥＤ及び赤色ＬＥＤは、例えばそれぞれマルチチップからなるＬＥＤである。
【００３７】
図４（ａ）は例えば操作者Ｍが電源をオンした状態であり、操作者Ｍはプロジェクタ筐体１０の背面側に設定された基準方向から特定ボタン３１ａ，３１ｂ，３１ｃ，３１ｄ，３１ｅ，３１ｆ，３１ｇ，３１ｈ，３１ｉを見ている。
【００３８】
操作者Ｍがプロジェクタ２に対して図４（ａ）に示す位置から図４（ｂ）に示す位置へ９０°だけ反時計方向（図４に向かって反時計方向）へ移動したとする。操作者Ｍが基準位置決定ボタン５０を押すと、基準方向が図４（ｂ）に示すように９０°だけ反時計方向へ回転する。このとき、特定ボタン３１ａ，３１ｂ，３１ｃ，３１ｄ，３１ｅ，３１ｆ，３１ｇ，３１ｈ，３１ｉの配置も図４（ｂ）に示すように変化する。操作者Ｍから特定ボタン３１ａ，３１ｂ，３１ｃ，３１ｄ，３１ｅ，３１ｆ，３１ｇ，３１ｈ，３１ｉを見たとき、特定ボタン３１ａ，３１ｂ，３１ｃ，３１ｄ，３１ｅ，３１ｆ，３１ｇ，３１ｈ，３１ｉの配置は操作者Ｍが移動する前と変わらない。図４（ａ）と同じ機能が割り当てられたボタンに同じ色のＬＥＤが点灯する。なお、操作者から見たとき、基準位置決定ボタン５０の配置は変化する。
【００３９】
この実施形態によれば、第１実施形態と同様の効果を奏するとともに、ＬＥＤによって特定ボタン３１ａ，３１ｂ，３１ｃ，３１ｄ，３１ｅ，３１ｆ，３１ｇ，３１ｈ，３１ｉに割り当てられた機能を容易に知ることができる。
【００４０】
図５（ａ），（ｂ）はこの発明の第２実施形態の変形例に係るプロジェクタ３の動作を説明するための概念図であり、第２実施形態と共通する部分には同一符号を付してその発明を省略する。
【００４１】
この変形例はプロジェクタ筐体１０の上部にタッチパネル１５を設けた点で第２実施形態と相違する。タッチパネル１５はＬＣＤ等で構成されている。操作者Ｍがタッチパネル１５の表面を触れると、タッチパネル１５はその表面の接触位置を検知して、ディスプレイ画面上の位置の情報が生成される。
【００４２】
この変形例ではタッチパネル１５には特定ボタンであるアイコンボタン（ボタン）１３１ａ，１３１ｂ，１３１ｃ，１３１ｄ，１３１ｅ，１３１ｆ，１３１ｇ，１３１ｈ，１３１ｉがマトリクス状に表示されている。基準方向からタッチパネル１５を見たとき、アイコンボタン１３１ａ，１３１ｂ，１３１ｃ，１３１ｄ，１３１ｅ，１３１ｆ，１３１ｇ，１３１ｈ，１３１ｉには、下段のアイコンボタン１３１ｇ，１３１ｈ，１３１ｄにはそれぞれ「ｃ」，「下」，「ｄ」の機能が、中段のアイコンボタン１３１ｄ，１３１ｅ，１３１ｆにはそれぞれ「左」，「決定」，「右」の機能が、上段のアイコンボタン１３１ａ，１３１ｂ，１３１ｃにはそれぞれ「ａ」，「上」，「ｂ」の機能が割り当てられている。
【００４３】
図５（ａ）は例えば操作者Ｍが電源をオンした状態であり、操作者Ｍはプロジェクタ筐体１０の背面側に設定された基準方向からアイコンボタン１３１ａ，１３１ｂ，１３１ｃ，１３１ｄ，１３１ｅ，１３１ｆ，１３１ｇ，１３１ｈ，１３１ｉを見ている。
【００４４】
操作者Ｍがプロジェクタ３に対して図５（ａ）に示す位置から図５（ｂ）に示す位置へ、９０°だけ反時計方向（図５に向かって反時計方向へ移動したとする。操作者Ｍが基準位置決定ボタン（図示せず）を押すと、基準方向が図５（ｂ）に示すように９０°だけ反時計方向へ回転する。このとき、アイコンボタン１３１ａ，１３１ｂ，１３１ｃ，１３１ｄ，１３１ｅ，１３１ｆ，１３１ｇ，１３１ｈ，１３１ｉの配置も図５（ｂ）に示すように変化する。アイコンボタン１３１ａ，１３１ｂ，１３１ｃ，１３１ｄ，１３１ｅ，１３１ｆ，１３１ｇ，１３１ｈ，１３１ｉの配置は、操作者Ｍからアイコンボタン１３１ａ，１３１ｂ，１３１ｃ，１３１ｄ，１３１ｅ，１３１ｆ，１３１ｇ，１３１ｈ，１３１ｉを見たとき、「ｃ」，「下」，「ｄ」，「左」，「決定」，「右」，「ａ」，「上」，「ｂ」のアイコンボタン１３１ａ，１３１ｂ，１３１ｃ，１３１ｄ，１３１ｅ，１３１ｆ，１３１ｇ，１３１ｈ，１３１ｉの配置は操作者Ｍが移動する前と変わらない。
【００４５】
この実施形態によれば、第２実施形態と同様の効果を奏する。
【００４６】
なお、基準方向の決定方法は下記の方法であってもよい。
【００４７】
図示しないが、例えばプロジェクタ筐体１０の４つの側面に赤外線センサ（操作者位置検知手段）をそれぞれ設け、赤外線センサによってプロジェクタ１から操作者Ｍまでの距離が予め設定した距離以内となったことが検知されとき、操作者Ｍの位置を基準方向とするようにしてもよい。
【００４８】
また、撮像装置（図示せず）をプロジェクタ筐体１０に設け、操作者Ｍが撮像装置の周囲の所定範囲内に入ったことを撮像装置が検知したとき、操作者Ｍが検知した位置を基準方向としてもよい。その後、撮像装置で操作者Ｍの動きを追いかけ、検知された操作者Ｍの位置に合わせて基準方向を変化させるようにしてもよい。
【００４９】
図６は基準方向の確認方法を説明する概念図であり、第１実施形態と共通する部分には同一符号を付してその説明を省略する。
【００５０】
図６（ａ）はプロジェクタ筐体１０の上部の各辺にそれぞれ基準方向を示すＬＥＤ１１ａ〜１１ｄを設けた例を示し、図６（ｂ）はプロジェクタ筐体１０の上部の四隅にそれぞれ基準方向を示すＬＥＤ１２ａ〜１２ｄを設けた例を示し、いずれの例も特定ボタン３１，３２，３３，３４，３５の下ではない位置に基準方向を確認するためのＬＥＤ１１ａ〜１１ｄ，１２ａ〜１２ｄが設けられている。図６（ａ）の例では４つのＬＥＤ１１ａ〜１１ｄのうちのＬＥＤ１１ａを点灯させ、図６（ｂ）の例では４つのＬＥＤ１２ａ〜１２ｄのうちのＬＥＤ１２ａとＬＥＤ１２ｂとを点灯させることによって基準方向を報知している。
【００５１】
なお、第２実施形態では下段の特定ボタン３１ａ，３１ｄ，３１ｇに対応する緑色ＬＥＤ、中段の特定ボタン３１ｂ，３１ｅ，３１ｈに対応する青色ＬＥＤ及び上段の特定ボタン３１ｃ，３１ｆ，３１ｉに対応する赤色ＬＥＤをそれぞれ点灯させることによって基準方向を確認するようにしたが、例えば操作者Ｍに近い下段の特定ボタン３１ａ，３１ｄ，３１ｇだけを点灯させて基準方向を確認するようにしてもよい。
【００５２】
また、ＬＥＤ１１ａ〜１１ｄ等の代わりにプロジェクタ筐体１０の４つの側面にスピーカ（図示せず）をそれぞれ設け、スピーカから音を出力させて基準方向を報知するようにしてもよい。
【００５３】
次に、画像を机上や床面等に結像させるプロジェクタを説明する。
【００５４】
図７はこの発明の第３実施形態に係るプロジェクタ４の側面を示す概念図である。
【００５５】
プロジェクタ４はプロジェクタ筐体１１０とプロジェクタ筐体１１０の上方に配置されたミラー１１１とで構成される。プロジェクタ筐体１１０から出射された光はミラー１１１で反射され、机上１５０の投影面１５１に投射される。なお、この実施形態ではミラー１１１を用いて机上１５０に光を投射したが、ミラー１１１を配置すべき位置にプロジェクタ筐体１１０を配置して、机上１５０に画像を投射するようにしてもよい。
【００５６】
図８（ａ），（ｂ）は机上に投射された画像の例を示す概念図であり、第２実施形態の変形例と共通する部分には同一符号を付してその説明を省略する。
【００５７】
図８（ａ），（ｂ）には投影画面２００にＯＳＤ（Ｏｎ  Ｓｃｒｅｅｎ  Ｄｉｓｐｌａｙ）２１０が表示されている。この実施形態では、投影画面にＯＳＤ２１０としてメニュー画面が重ねて表示されている。
【００５８】
操作者Ｍ（基準方向）がプロジェクタ４に対して図８（ａ）に示す位置から図８（ｂ）に示す位置へ、反時計方向（図８に向かって反時計方向）へ９０°だけ移動したとき、アイコンボタン１３１ａ，１３１ｂ，１３１ｃ，１３１ｄ，１３１ｅ，１３１ｆ，１３１ｇ，１３１ｈ，１３１ｉだけでなく、投影画面２００上のＯＳＤ２１０も反時計方向へ９０°回転する。
【００５９】
この実施形態によれば、特定ボタンであるアイコンボタン１３１ａ，１３１ｂ，１３１ｃ，１３１ｄ，１３１ｅ，１３１ｆ，１３１ｇ，１３１ｈ，１３１ｉの向きに合わせてＯＳＤ２１０の向きも変わるので、上記実施形態と同様にプロジェクタ４の操作性を向上させることができる。
【００６０】
なお、上記各実施形態では基準方向は４つであったが、これに限られるものではなく例えば６つであっても８つであってもよい。
【符号の説明】
【００６１】
１，２，３，４：プロジェクタ、１０，１１０：プロジェクタ筐体（筐体）、１５：タッチパネル、３１，３２，３３，３４，３５，３１ａ，３１ｂ，３１ｃ，３１ｄ，３１ｅ，３１ｆ，３１ｇ，３１ｈ，３１ｉ：特定ボタン（操作手段）、３６：ＬＥＤ（報知手段）、５０：基準位置決定ボタン、９０：制御部（制御手段）、１３１ａ，１３１ｂ，１３１ｃ，１３１ｄ，１３１ｅ，１３１ｆ，１３１ｇ，１３１ｈ，１３１ｉ：アイコンボタン（ボタン）、２００：投影画面、２１０：ＯＳＤ、Ｍ：操作者。
【図１】
0005564922.tif 000002
【図２】
0005564922.tif 000003
【図３】
0005564922.tif 000004
【図４】
0005564922.tif 000005
【図５】
0005564922.tif 000006
【図６】
0005564922.tif 000007
【図７】
0005564922.tif 000008
【図８】
0005564922.tif 000009